(57)【特許請求の範囲】
【請求項１】
主電源を接続する主電源端子と、
第１バックアップ電源を接続する第１バックアップ端子と、
前記主電源端子と前記第１バックアップ端子間に接続された第１スイッチ手段と、
前記第１バックアップ端子と前記第１スイッチ手段の接続ノードと接地電位間に接続されたＲＴＣ（リアルタイムクロック）回路と、
切換電圧を生成する切換電圧発生回路と、
前記主電源の電圧と、前記切換電圧を比較する比較回路とを備え、
該比較回路は、比較の結果、前記主電源の電圧、もしくは前記主電源の電圧に比例した電圧が前記切換電圧以上の場合には、前記第１スイッチ手段をオンにして、前記主電源により前記第１バックアップ電源を充電するとともに、前記ＲＴＣ回路に電力を供給し、前記主電源の電圧、もしくは前記主電源の電圧に比例した電圧が前記切換電圧未満まで低下した場合には、前記第１スイッチ手段をオフにして、前記主電源と、前記第１バックアップ電源および前記ＲＴＣ回路との接続を遮断し、前記ＲＴＣ回路への電力供給を前記第１バックアップ電源から行うようにした半導体装置において、
前記切換電圧の電圧値を変更する電圧変更手段を備えており、
前記電圧変更手段は、前記切換電圧を大まかに設定する第１電圧設定回路と、
前記第１電圧設定回路で設定した電圧を更に細かく設定する記憶回路である第２電圧設定回路と、
前記第１および第２電圧設定回路の出力に応じて、所定の前記切換電圧を出力する切換電圧発生回路とを備えており、
前記第１電圧設定回路は、可逆不可の手段により設定を行い、
前記第２電圧設定回路は、記憶変更により設定変更を行うようにしたことを特徴とするＲＴＣ回路のバックアップ電源切換回路を備えた半導体装置。
【請求項２】
請求項１記載のＲＴＣ回路のバックアップ電源切換回路を備えた半導体装置において、
前記第１電圧設定回路は、電圧設定手段としてトリミングヒューズを用い、
前記第２電圧設定回路は、電圧設定手段としてレジスタを含む記憶回路を用いることを特徴とするＲＴＣ回路のバックアップ電源切換回路を備えた半導体装置。
【請求項３】
請求項１又は２に記載のＲＴＣ回路のバックアップ電源切換回路を備えた半導体装置において、
前記比較回路の制御により動作する第１スイッチ手段および前記第１バックアップ電源を接続する第１バックアップ端子に加えて、第２バックアップ電源を接続する第２バックアップ端子と、該第２バックアップ端子と前記第１バックアップ端子間に接続され、前記第１スイッチ手段と相補的にオンまたはオフ動作を行う第２スイッチ手段とを備えたことを特徴とするＲＴＣ回路のバックアップ電源切換回路を備えた半導体装置。
【請求項４】
主電源を接続する主電源端子と、
第１バックアップ電源を接続する第１バックアップ端子と、
前記主電源端子と前記第１バックアップ端子間に接続された第１スイッチ手段と、
前記第１バックアップ端子と前記第１スイッチ手段の接続ノードと接地電位間に接続されたＲＴＣ（リアルタイムクロック）回路と、
切換電圧を生成する切換電圧発生回路と、
前記主電源の電圧と、前記切換電圧を比較する比較回路とを備え、
該比較回路は、比較の結果、前記主電源の電圧、もしくは前記主電源の電圧に比例した電圧が前記切換電圧以上の場合には、前記第１スイッチ手段をオンにして、前記主電源により前記第１バックアップ電源を充電するとともに、前記ＲＴＣ回路に電力を供給し、前記主電源の電圧、もしくは前記主電源の電圧に比例した電圧が前記切換電圧未満まで低下した場合には、前記第１スイッチ手段をオフにして、前記主電源と、前記第１バックアップ電源および前記ＲＴＣ回路との接続を遮断し、前記ＲＴＣ回路への電力供給を前記第１バックアップ電源から行うようにした半導体装置において、
前記切換電圧の電圧値を変更する電圧変更手段を備えており、
前記比較回路の制御により動作する第１スイッチ手段および前記第１バックアップ電源を接続する第１バックアップ端子に加えて、第２バックアップ電源を接続する第２バックアップ端子と、該第２バックアップ端子と前記第１バックアップ端子間に接続され、前記第１スイッチ手段と相補的にオンまたはオフ動作を行う第２スイッチ手段とを備えたことを特徴とするＲＴＣ回路のバックアップ電源切換回路を備えた半導体装置。
【請求項５】
請求項１〜４のいずれか１項に記載のＲＴＣ回路のバックアップ電源切換回路を備えた半導体装置において、
前記比較回路の入力には、ヒステリシス電圧を備えることを特徴とするＲＴＣ回路のバックアップ電源切換回路を備えた半導体装置。
【発明の詳細な説明】
【技術分野】
【０００１】
本発明は、ＲＴＣ（リアルタイムクロック）回路を備えた半導体装置に関し、特に主電源の電圧が低下した場合に、バックアップ電源からＲＴＣ回路へ電力供給を行う切換回路を内蔵した半導体装置に関するものである。
【背景技術】
【０００２】
最近の電子機器では、主電源のオン／オフに係わらず動作を継続する必要のある回路が増加してきている。ＲＴＣ回路も、その１つに含まれている。
ＲＴＣ回路は、時計機能を備えた回路であるため、その性格上２４時間連続して動作する必要がある。ＲＴＣ回路に通常電力を供給している電子機能の主電源の電圧が、ＲＴＣ回路の最低動作電圧以下まで低下した場合には、必ず何らかのバックアップ電源に切り換えて動作を継続させるようになっている。
【０００３】
主電源とバックアップ電源の切換回路としては、多くの回路構成が提案されている。
図３は、従来技術の電源制御回路の構成図である。
例えば、特開２０００−１２４９７６号公報（引用文献１参照）の図２には、図３に示すような回路が開示されている。簡単に図３の動作を説明する。主電源部１は主電池１１と電源回路１２で構成されており、バックアップ電源部２は、１次電池２１と電源回路２２で構成されている。
電源回路１２の出力は、システム回路５と、トランジスタ６を介してバックアップ不要システム回路７に給電されている。また、電源回路２２の出力は、ダイオード４を介してシステム回路５に給電されている。
【０００４】
図３において、主電池１１の電圧が十分に高い場合には、低電圧検出回路３はローレベルを出力し、トランジスタ６をオンにすると共に、バックアップ電源部２の電源回路２２の動作を禁止しているので、電源回路２２からの給電は行われない。
主電池１１の電圧が切換電圧値以下に低下した場合には、低電圧検出回路３はハイレベルを出力し、トランジスタ６をオフにし、バックアップ不要システム回路７への給電を停止すると共に、バックアップ電源部２の電源回路２２を動作させる。電源回路２２が動作すると、１次電池２１から電源回路２２およびダイオード４を介してシステム回路５に電力を供給するので、システム回路５は常に動作を続行することができる。
特許文献１では、バックアップ電源部２の電源２１に１次電池を用いているが、１次電池に限らず、主電源１１によって充電される２次電池や、大容量コンデンサである電気二重層キャパシタを使用する場合もある。
また、主電源が所定の電圧まで低下した場合に、予備電源に切り換える提案としては、例えば特開２００１−２５１３５６号公報（特許文献２参照）などもある。
【０００５】
【特許文献１】特開２０００−１２４９７６号公報
【特許文献２】特開２００１−２５１３５６号公報
【発明の開示】
【発明が解決しようとする課題】
【０００６】
図３に示す回路を用いて、システム回路５の替わりにＲＴＣ回路のバックアップを行う場合には、バックアップ電池２１として、十分電圧の高い１次電池を用いる場合は、低電圧検出回路３で検出する切換電圧は、ＲＴＣ回路が正常動作を行うことができる最低電圧とすればよい。しかし、バックアップ電池２１として、主電源１１によって充電を行っている２次電池、あるいは電気二重層キャパシタの場合には、次のような問題が発生する。
すなわち、主電源部１の主電池１１の電圧が、ＲＴＣ回路の最低作動電圧近くでバックアップ電源部２に切り換えられると、ＲＴＣ回路での消費電流は少ないが、それでも直ちにＲＴＣ回路の最低動作電圧を下回ってしまう。
【０００７】
そのため、主電源部１からバックアップ電源部２に切り換わる電圧は、電子機器内で使用されているＲＴＣ回路以外の主要な回路が動作する最低電圧に設定するのが良い。通常、ＲＴＣ回路の最低作動電圧は、主要な回路の最低動作電圧よりかなり低い電圧となっているので、このようにすることで、ＲＴＣ回路の電源がバックアップ電源部２に切り換わっても長時間ＲＴＣ回路をバックアップすることが可能となる。
しかしながら、電子機器の主要回路部の最低作動電圧は、機器毎に異なる電圧である。そのため、主電源部１からバックアップ電源部２に切り換える回路部分をＩＣ化した場合に、切換電圧が固定されていると、そのＩＣの使用範囲が限定されてしまい量産効果を得ることができなくなってしまう。また、用途に合わせて様々な切換電圧値のＩＣを製造することも、品種が増えて管理が大変になる、という問題があった。
【０００８】
（目的）
本発明の目的は、上述した実情を考慮してなされたもので、ＲＴＣ回路のバックアップ電源切換回路を内蔵し、しかも切換電圧を変更可能にして使用条件を広げることが可能なＲＴＣ回路のバックアップ電源切換回路を備えた半導体装置を提供することにある。
【課題を解決するための手段】
【０００９】
本発明の半導体装置は、１）主電源を接続する主電源端子と、第１バックアップ電源を接続する第１バックアップ端子と、前記主電源端子と前記第１バックアップ端子間に接続された第１スイッチ手段と、前記第１バックアップ端子と前記第１スイッチ手段の接続ノードと接地電位間に接続されたリアルタイムクロック（ＲＴＣ）回路と、切換電圧を生成する切換電圧発生回路と、前記主電源の電圧と、前記切換電圧を比較する比較回路とを備え、該比較回路の出力に応じて、前記主電源の電圧、もしくは前記主電源の電圧に比例した電圧が前記切換電圧以上の場合には、前記第１スイッチ手段がオンとなり、前記主電源により前記第１バックアップ電源を充電すると共に、前記ＲＴＣ回路に電力を供給し、前記主電源の電圧、もしくは前記主電滞の電圧に比例した電圧が前記切換電圧未満まで低下した場合には、前記第１スイッチ手段をオフにして、前記主電源と、前記第１バックアップ電源および前記ＲＴＣ回路との接続を遮断し、前記ＲＴＣ回路への電力供給を前記第１バックアップ電源から行うようにしたＲＴＣ回路のバックアップ電源切換回路を備えた半導体装置において、前記切換電圧の電圧値を変更する電圧変更手段を備えることを特徴としている。
これにより、機器内の回路の最低動作電圧に合わせて切換電圧を設定できるようになった。
【００１０】
また、２）前記電圧変更手段は、前記切換電圧を大まかに設定する第１電圧設定回路と、該第１電圧設定回路で設定した電圧を更に則かく設定する第２電圧設定回路と、前記第１および第２電気設定回路の出力に応じて、所定の前記切換電圧を出力する切換電圧発生回路とを備えることを特徴としている。
これにより、切換電圧の設定を細かくすることが可能になった。
また、３）前記第１電圧設定回路は、可逆不可の手段により設定を行い、前記第２電圧設定回路は設定変更可能な手段により設定を行うことを特徴としている。
これにより、大まかな設定を工場で行い、詳細な設定だけを機器に内蔵した回路によって行うことができるようになったので、機器側の回路負担を少なくすることが可能になった。
また、４）前記第１電圧設定回路は、電圧設定手段としてトリミングヒューズを用い、前記第２電圧設定回路は電圧設定手段として、レジスタなどの記憶回路を用いたことを特徴としている。
また、５）前記比較回路の動作を安定させるために、前記比較回路の入力回路には、ヒステリシス電圧を備えたことを特徴としている。
さらに、６）第２バックアップ電源を接続する第２バックアップ端子と、該第２バックアップ端子と前記第１バックアップ端子間に接続され、前記第１スイッチ手段と相補的にオン／オフ動作を行う第２スイッチ手段を備えたことを特徴としている。
これにより、１次電池もバックアップ電源として使用できるようになり、多くの機器に対応し易くなった。
【発明の効果】
【００１１】
本発明によれば、ＲＴＣ回路のバックアップ切換電圧を変更可能にしたので、本発明の半導体装置を用いる機器内の回路の最低作動電圧に合わせて切換電圧を設定できるようになると共に、バックアップ電源に２次電池や電圧二重層キャパシタを用いても十分長い時間、バックアップが可能になった。
また、切換電圧の変更手段として、大まかな変更の設定を行う第１電圧設定回路と、詳細な変更の設定を行う第２電圧設定回路を設けたので、切換電圧の設定を細かくできるようになった。
【００１２】
さらに、第１電圧設定回路の設定をトリミングヒューズで行い、第２電圧設定回路の設定はレジスタなどの記憶回路を用いたので、大まかな設定を工場で行い、詳細な設定だけを機器に内蔵された回路によって行うことができるようになると共に、機器側の回路負担を少なくすることができるようになった。
【００１３】
さらに、第２バックアップ端子と、第１スイッチ手段と相補的にオン／オフ動作を行う第２スイッチ手段を備えたので、１次電池もバックアップ電源として使用できるようになると共に、機器内の回路の最低作動電圧がＲＴＣ回路の最低作動電圧に近い場合にも対応可能となり、より多くの機器に使用できるようになった。
【発明を実施するための最良の形態】
【００１４】
以下、図面を参照して、本発明の実施形態を詳細に説明する。
図１は、本発明の一実施例に係るＲＴＣ回路のバックアップ電源切換回路のブロック図である。
本発明のバックアップ電源切換回路は、図１の破線で囲まれた範囲内の基準電圧Ｖｒ、切換電圧発生回路２０、第１電圧設定回路３０、第２電圧設定回路４０で構成された電圧変更手段５０と、比較回路１０と、第１スイッチ手段Ｓ１と第２スイッチ手段Ｓ２とインバータ６０で構成され、それらに付随して主電源端子Ｍａｉｎ、第１バックアップ端子Ｂａｃｋ１、第２バックアップ端子Ｂａｃｋ２を備えている。
【００１５】
ＲＴＣ回路７０は、第１バックアップ端子Ｂａｃｋ１と接地電位間に接続されている。
主電源端子Ｍａｉｎと接地電位間には、主電源ＶＭが接続されている。主電源ＶＭは、電子機器を動作させるための電源であり、機器内の内部回路１００にも電力を供給している。
第１バックアップ端子Ｂａｃｋ１と接地電位間には、抵抗Ｒ１と第１バックアップ電源ＶＢ１の直列回路が接続されている。第１バックアップ電源ＶＢ１は、主電源ＶＭによって充電される２次電池または大容量の電圧二重層キャパシタであり、抵抗Ｒ１は過電流防止用の保護抵抗である。
【００１６】
切換電圧発生回路２０には、基準電圧Ｖｒと第１電圧設定回路３０および第２電圧設定回路４０の出力が入力され、第１電圧設定回路３０と第２電圧設定回路４０の出力に応じて異なる電圧の切換電圧Ｖｄｅｔを出力する。すなわち、切換電圧発生回路２０と第１電圧設定回路３０および第２電圧設定回路４０で、切換電圧Ｖｄｅｔの電圧値を変更する電圧変更手段５０を構成している。
【００１７】
切換電圧発生回路２０から出力された切換電圧Ｖｄｅｔは、比較回路１０の一方の入力に印加される。比較回路１０の他方の入力は、主電源端子Ｍａｉｎに接続されており、主電源ＶＭの電圧が印加されている。比較回路１０の出力は、第１スイッチ手段Ｓ１の制御端子とインバータ６０を介して第２スイッチ手段Ｓ２の制御端子に接続されている。
比較回路１０は、主電源ＶＭの電圧、もしくは主電源ＶＭの電圧に比例した電圧が切換電圧Ｖｄｅｔより高い場合はハイレベルを出力し、第１スイッチ手段Ｓ１をオン、第２スイッチ手段Ｓ２をオフに制御する。
【００１８】
第１スイッチ手段Ｓ１がオンの場合には、主電源端子Ｍａｉｎと第１バックアップ端子Ｂａｃｋ１が接続されるので、主電源ＶＭからＲＴＣ回路７０に電力が供給されると共に、第１バックアップ電源ＶＢ１に対して充電が行われる。
主電源ＶＭの電圧が切換電圧Ｖｄｅｔ未満まで低下すると、比較回路１０の出力はローレベルに変化し、第１スイッチ手段Ｓ１をオフ、第２スイッチ手段Ｓ２をオンに制御する。
第１スイッチ手段Ｓ１がオフすると、主電源ＶＭからＲＴＣ回路７０への電力供期が遮断されるので、ＲＴＣ回路７０への電力供期は第１バックアップ電源ＶＢ１から行われる。さらに、第２スイッチ手段Ｓ２がオンするので、第２バックアップ電源ＶＢ２からも電力供給が行われる。
なお、実施例では、第１バックアップ電源ＶＢ１と第２バックアップ電源ＶＢ２の両方から電力供給が行われているが、必ずしも両方必要というわけではなく、どちらか一方が接続されていればよい。
【００１９】
図２は、図１の破線内における電圧変更手段の詳細回路図である。
切換電圧発生回路２０は、直列接続された抵抗Ｒ２０〜Ｒ２３、同じく直列接続された抵抗Ｒ２４〜Ｒ２７、制御端子を備えたスイッチ手段Ｓ２０〜Ｓ３０、および電圧フォロアのバッファ回路２１と２２とで構成されている。抵抗Ｒ２０〜Ｒ２３は、基準電圧Ｖｒに並列に接続されているので、各抵抗の接続ノードからは基準電圧Ｖｒをそれぞれの抵抗で分圧された電圧が生成されている。
【００２０】
スイッチ手段Ｓ２０〜Ｓ２３の一端は共通接続され、バッファ回路２１を介して直列抵抗Ｒ２４〜Ｒ２７の抵抗Ｒ２４の他端に接続されている。また、スイッチ手段Ｓ２０〜Ｓ２３の他端は、直列抵抗Ｒ２０〜Ｒ２３の上方の端子にそれぞれ接続されている。
スイッチ手段Ｓ２４〜Ｓ２７の一端は共通接続され、バッファ回路２２を介して直列抵抗Ｒ２４〜Ｒ２７の抵抗Ｒ２７の他端に接続されている。また、スイッチ手段Ｓ２４〜Ｓ２７の抵抗Ｒ２７の他端に接続されている。また、スイッチ手段Ｓ２４〜Ｓ２７の他端は、直列抵抗Ｒ２０〜Ｒ２３の下方の端子にそれぞれ接続されている。スイッチ手段Ｓ２０とＳ２４、Ｓ２１とＳ２５、Ｓ２２とＳ２６、Ｓ２３とＳ２７の制御端子はそれぞれ共通接続されており、第１電圧設定回路３０の出力に接続されている。
【００２１】
スイッチ手段Ｓ２８〜Ｓ３０の一端は共通接続され、後述する比較回路１０のコンパレータ１１の反転入力に接続されている。また、スイッチ手段２８の他端は、抵抗Ｒ２４とＲ２５の交点に、スイッチ手段２９の他端は抵抗Ｒ２５とＲ２６の交点に、スイッチ手段３０の他端は抵抗Ｒ２６とＲ２７の交点に接続されている。更に、スイッチ手段Ｓ２８〜Ｓ３０の制御端子は、第２電圧設定回路４０の出力に接続されている。
【００２２】
第１電圧設定回路３０は、インバータ３１〜３４、ヒューズＦ３０〜Ｆ３７、抵抗Ｒ３１で構成されている。インバータ３１〜３４の各入力には２つのヒューズの一端が接続され、一方のヒューズの他端は接地電位に接続され、他方のヒューズの他端は抵抗Ｒ３１を介して電源電位Ｖｄｄに接続されている。
インバータ３１〜３４の出力は、第１電圧設定回路３０の出力であり、前述したように、切換電圧発生回路２０のスイッチ手段Ｓ２０からＳ２７の制御端子に接続されている。
【００２３】
第２電圧設定回路４０は、レジスタ４１とレジスタ設定回路４２で構成されている。
レジスタ４１の内容は、レジスタ設定回路４２の出力に応じて書き換え可能となっている。レジスタ４１は、３つの出力端子ａ，ｂ，ｃを備えており、その出力端子ａからｃはそれぞれスイッチ手段Ｓ２８〜Ｓ３０の制御端子に接続されている。
【００２４】
比較回路１０は、コンパレータ１１と抵抗Ｒａ，Ｒｂで構成されている。抵抗ＲａとＲｂは直列接続され、主電源ＶＭに並列に接続されている。抵抗ＲａとＲｂの接続ノードは、コンパレータ１１の非反転入力に接続されている。
【００２５】
第１電圧設定回路３０のインバータ３１〜３４の入力に接続された２つのヒューズのうち、他端が接地電位側に接続された方をレーザートリミングなどでカットすると、インバータの入力は抵抗Ｒ３１とこの抵抗に接続されたヒューズを介して電源Ｖｄｄに接続されるので、ハイレベルになりローレベルを出力する。逆に、他端が抵抗Ｒ３１側に接続された方をカットすると、インバータの入力はヒューズを介して接地されるので、ハイレベルを出力する。
【００２６】
実施例の回路では、インバータ３１は抵抗Ｒ３１側のヒューズＦ３０をカットしているので、出力はハイレベルである。インバータ３２から３４の入力に接続されたヒューズは、いずれも接地電位側のヒューズがカットされているので、出力はローレベルである。
インバータ３１の出力だけがハイレベルであるから、切換電圧発生回路２０のスイッチ手段Ｓ２０とＳ２４はオンとなり、スイッチ手段Ｓ２１〜Ｓ２３とＳ２５〜Ｓ２７はオフとなる。その結果、直列抵抗Ｒ２４〜Ｒ２７の両端にはバッファ回路２１と２２を介して抵抗Ｒ２０の両端の電圧が印加されるので、直列抵抗Ｒ２４〜Ｒ２７の各抵抗の接続ノードには抵抗Ｒ２０の両端の電圧を分圧した電圧が発生する。
【００２７】
レジスタ４１の出力端子ａがハイレベルで、出力端子ｂとｃがローレベルであるとすると、スイッチ手段Ｓ２８がオンとなり、抵抗Ｒ２４とＲ２５の接続ノードの電圧が切換電圧Ｖｄｅｔとして選択され、コンパレータ１１の反転入力に印加される。
コンパレータ１１の非反転入力には、主電源ＶＭの電圧を抵抗ＲａとＲｂで分圧した電圧ＶＭ１が印加されている。
主電源ＶＭの電圧が十分に高く、分圧電圧ＶＭ１が切換電圧Ｖｄｅｔより高い場合には、コンパレータ１１の出力はハイレベルとなり、図１のスイッチ手段Ｓ１をオン、Ｓ２をオフにする。
【００２８】
分圧電圧ＶＭ１が切換電圧Ｖｄｅｔ未満まで低下すると、コンパレータ１１の出力はローレベルとなり、図１のスイッチ手段Ｓ１をオフ、Ｓ２をオンにする。スイッチ手段Ｓ１とＳ２のオン／オフに応じた動作については、図１で既に説明しているので、省略する。
なお、コンパレータ１１の動作を安定させるために、コンパレータ１１の入力にはヒステリシス電圧を持たせてある。ヒステリシス電圧はコンパレータ１１の出力がローレベルからハイレベルに変化する時の分圧電圧ＶＭ１を、ハイレベルからローレベルに戻る時の分圧電圧ＶＭ１より高くなるように設定している。
【００２９】
上述のように、本発明によれば、ＲＴＣ回路７０のバックアップ切換電圧Ｖｄｅｔを電圧変更手段５０により変更可能にすることで、本発明の半導体装置を用いる機器内の回路の最低作動電圧に合わせて切換電圧Ｖｄｅｔを設定できるようになったので、第１バックアップ電源ＶＢ１に２次電池や電圧二重層キャパシタを用いても十分長い時間バックアップが可能となった。
また、切換電圧Ｖｄｅｔの変更手段として、大まかな変更の設定を行う第１電圧設定回路３０と、詳細な変更の設定を行う第２電圧設定回路４０を設けたので、切換電圧Ｖｄｅｔの設定が細かくできるようになった。
【００３０】
さらに、第１電圧設定回路３０の設定をトリミングヒューズＦ３０〜Ｆ３７で行い、第２電圧設定回路４０の設定はレジスタ４１などの記憶回路を用いて行うことで、切換電圧Ｖｄｅｔの大まかな設定を工場で行い、詳細な設定だけを機器に内蔵した回路によって行うことができるようになったので、機器側の回路負担を少なくすることが可能になった。
【００３１】
さらに、比較回路１０内のコンパレータ１１の入力回路に、ヒステリシス電圧を備えることにより、コンパレータ１１の動作を安定させることが可能になった。
さらに、第２バックアップ端子Ｂａｃｋ２と、第１スイッチ手段Ｓ１と相補的にオン／オフ動作を行う第２スイッチ手段Ｓ２を備えたので、１次電池もバックアップ電源として使用できるようになり、機器内の回路の最低作動電圧がＲＴＣ回路７０の最低作動電圧に近い場合にも対応可能となり、より多くの機器に使用できるようになった。
【図面の簡単な説明】
【００３２】
【図１】本発明の一実施例に係るＲＴＣ回路のバックアップ電源切換回路のブロック図である。
【図２】図１における切換電圧発生回路の詳細回路図である。
【図３】従来技術のバックアップ電源切換回路の回路構成図である。
【符号の説明】
【００３３】
１０  比較回路
２０  切換電圧発生回路
３０  第１電圧設定回路
４０  第２電圧設定回路
４１  レジスタ
５０  電圧変更手段
７０  リアルタイムクロック（ＲＴＣ）回路
ＶＭ  主電源
ＶＢ１  第１バックアップ電源
ＶＢ２  第２バックアップ電源
Ｍａｉｎ  主電源端子
Ｂａｃｋ１  第１バックアップ端子
Ｂａｃｋ２  第２バックアップ端子
【図１】
0005157390.tif 000002
【図２】
0005157390.tif 000003
【図３】
0005157390.tif 000004